【手続補正書】
【提出日】平成20年2月25日(2008.2.25)
【手続補正１】
【補正対象書類名】明細書
【補正対象項目名】特許請求の範囲
【補正方法】変更
【補正の内容】
【特許請求の範囲】
【請求項１】
下記工程を具備する、指定されたイベントを検出するための移動局通信プロトコルスタックのための方法：
前記移動局通信プロトコルスタックと通信ネットワークとの間を通信する；
移動局アプリケーションインターフェースを介して前記移動局通信プロトコルと移動局アプリケーションとの間を通信する；
前記移動局アプリケーションが指定されたイベントを登録するとき、前記移動局通信プロトコルスタックにより、メモリをポーリングする；および
前記移動局通信プロトコルスタックにより、前記ポーリングに基づいて前記指定されたイベントを検出する。
【請求項２】
前記メモリが十分な量のデータを受け入れるために利用可能なとき、前記移動局通信プロトコルスタックにより、前記指定されたイベントを検出する工程をさらに具備する、請求項１の方法。
【請求項３】
前記データは前記移動局アプリケーションから送信される、請求項２の方法。
【請求項４】
前記指定されたイベントは書き込みイベント、読み出しイベントおよびクローズイベントの少なくとも１つである、請求項１の方法。
【請求項５】
前記指定されたイベントを前記移動局アプリケーションにより登録することと、
前記指定されたイベントを前記移動局アプリケーションによりディスエーブルすることと、
をさらに具備する、請求項１の方法。
【請求項６】
下記工程を具備する、指定されたイベントを検出するための移動局通信プロトコルスタックのための方法：
移動局通信プロトコルスタックと通信ネットワークとの間で通信する；
移動局アプリケーションインターフェースを介して移動局通信プロトコルスタックと移動局アプリケーションとの間で通信する；
移動局アプリケーションにより前記指定されたイベントを登録する；
前記指定されたイベントが生じたとき割込み通知をトリガする；および
前記割込み通知により前記指定されたイベントを、前記移動局通信プロトコルスタックにより検出する。
【請求項７】  前記指定されたイベントはデータがメモリに書き込まれるとき生じる、請求項６の方法。
【請求項８】  前記指定されたイベントは書き込みイベント、読み出しイベント、およびクローズイベントの少なくとも１つである、請求項６の方法。
【請求項９】  前記指定されたイベントを前記移動局アプリケーションによりディスエーブルすることをさらに具備する、請求項６の方法。
【請求項１０】  通信ネットワークと通信するための移動局通信プロトコルスタックと；
前記移動局通信プロトコルスタックと移動局アプリケーションとの間の通信を容易にするための移動局アプリケーションインターフェースと；および
前記移動局アプリケーションが前記指定されたイベントを登録するときはいつでも前記移動局通信プロトコルスタックによりポーリングされるメモリとを具備し、
前記移動局通信プロトコルスタックは前記ポーリングに基づいて前記指定されたイベントを検出するように適応する、指定されたイベントを検出するための装置。
【請求項１１】
前記メモリが十分な量のデータを受け入れるために利用可能なときはいつでも、前記移動局アプリケーションインターフェースは前記指定されたイベントを検出するように適応する、請求項１０の装置。
【請求項１２】  前記指定されたイベントは書き込みイベント、読み出しイベントおよびクローズイベントの少なくとも１つである、請求項１０の装置。
【請求項１３】  前記データは移動局アプリケーションから送信される、請求項１０の装置。
【請求項１４】  前記移動局アプリケーションは前記指定されたイベントをディスエーブルするように適応する、請求項１０の装置。
【請求項１５】  通信ネットワークと通信するための移動局通信プロトコルスタックと；および
前記移動局通信プロトコルスタックと移動局アプリケーションとの間の通信を容易にするための移動局アプリケーションインターフェースとを具備し、
前記移動局アプリケーションは前記指定されたイベントを登録するように適応し、
前記指定されたイベントが生じたときはいつでも、割込み通知がトリガされるように適応し、および
前記割込み通知によって前記移動局通信プロトコルスタックが前記指定されたイベントを検出するように適応する、指定されたイベントを検出するための装置。
【請求項１６】  前記指定されたイベントは書き込みイベント、読み出しイベント、クローズイベントの少なくとも１つである、請求項１５の装置。
【請求項１７】  前記指定されたイベントはデータがメモリに書き込まれるときはいつでも生じる、請求項１５の装置。
【請求項１８】  前記移動局は前記指定されたイベントをディスエーブルするように適応する、請求項１５の装置。
【請求項１９】  機械により読まれたとき下記プロセスを生じる、符号化された情報からなる機械読み出し可能な媒体：
移動局通信プロトコルスタックと通信ネットワークとの間で通信する；
移動局アプリケーションインターフェースを介して前記移動局通信プロトコルスタックと移動局アプリケーションとの間で通信する；
移動局アプリケーションが指定されたイベントを登録するときはいつでも前記移動局通信プロトコルスタックによりメモリをポーリングする；および
前記ポーリングに基づいて前記指定されたイベントを前記移動局通信プロトコルスタックにより検出する。
【請求項２０】  前記メモリが十分な量のデータを受け入れるように利用可能なときはいつでも、前記指定されたイベントを前記移動局通信プロトコルスタックにより検出するプロセスをさらに具備する、請求項１９の機械読み出し可能な媒体。
【請求項２１】  前記指定されたイベントは、書き込みイベント、読み出しイベント、クローズイベントの少なくとも１つである、請求項１９の機械読み出し可能な媒体。
【請求項２２】  前記データは前記移動局アプリケーションから送信される、請求項２０の機械読み出し可能な媒体。
【請求項２３】  前記指定されたイベントを前記移動局アプリケーションにより登録するプロセスと、
前記指定されたイベントを前記移動局アプリケーションによりディスエーブルするプロセスと、
をさらに具備する、請求項１９の機械読み出し可能な媒体。
【請求項２４】  機械により読まれたとき下記プロセスを生じる、符号化された情報からなる機械読み出し可能な媒体：
移動局通信プロトコルスタックと通信ネットワークとの間で通信する；
移動局アプリケーションインターフェースを介して前記移動局通信プロトコルスタックと移動局アプリケーションとの間で通信する；
移動局アプリケーションにより指定されたイベントを登録する；
指定されたイベントが生じたときはいつでも割込み通知をトリガする；および
前記割込み通知により前記指定されたイベントを前記移動局通信プロトコルスタックにより検出する。
【請求項２５】  前記指定されたイベントはデータがメモリに書き込まれるときはいつでも生じる、請求項２４の機械読み出し可能な媒体。
【請求項２６】  前記指定されたイベントは書き込みイベント、読み出しイベントおよびクローズイベントの少なくとも１つである、請求項２４の機械読み出し可能な媒体。
【請求項２７】  前記指定されたイベントを前記移動局アプリケーションによりディスエーブルするプロセスをさらに具備する、請求項２４の機械読み出し可能な媒体。